(57)【要約】【課題】閉じたネットワーク内にある複数の装置において、任意の装置で取得した特定のコンテンツを他の装置においても再生可能とするディスク再生装置およびコンテンツ再生方法を、提供する。【解決手段】この発明は、セットされた光ディスクに関連のあるコンテンツの供給元から付加的なコンテンツをダウンロードし、ダウンロードされた付加的なコンテンツを所定の記憶部に保持し、光ディスクを付加的なコンテンツのダウンロードに用いたディスク再生装置とは異なるディスク再生装置により再生する場合に、ダウンロードされた付加的なコンテンツを、ダウンロードに用いたディスク再生装置とは異なるディスク再生装置に転送し、または複製し、もしくはダウンロードに用いたディスク再生装置とは異なるディスク再生装置からの読み取りを可能とすることを特徴とするコンテンツ再生方法である。【選択図】図３
2007180957.tif 000002
【特許請求の範囲】
【請求項１】
光ディスクに記録されている情報を読み出すディスクユニットと、
前記ディスクユニットにセットされた前記光ディスクに関連のある付加的なコンテンツが別の場所にあるストレージに保持されている場合に、そのコンテンツを、所定のタイミングで、読み出すデータ制御装置と、
前記別の場所にあるストレージに保持されている前記付加的なコンテンツを保持可能な不揮発性メモリと、
前記ディスクユニットにセットされた前記光ディスクの情報を再生する場合に、前記光別の場所にあるストレージに保持されている前記付加的なコンテンツ  を、前記ストレージから前記不揮発性メモリに、読み出しまたは転送させ、もしくは複製するコンテンツ管理装置と、
を有することを特徴とするディスク再生装置。
【請求項２】
光ディスクに記録されている情報を読み出すディスクユニットと、
前記ディスクユニットにセットされた前記光ディスクに関連のある付加的なコンテンツのリストが別の場所にあるストレージに保持されている場合に、そのコンテンツのリストを、所定のタイミングで、読み出すデータ制御装置と、かを検出するデータ制御装置と、
前記別の場所にあるストレージに保持されている前記付加的なコンテンツを保持可能な不揮発性メモリと、
前記ディスクユニットにセットされた前記光ディスクの情報を再生する場合に、前記光別の場所にあるストレージに保持されている前記付加的なコンテンツの前記リストを、前記ストレージから前記不揮発性メモリに、読み出しまたは転送させ、もしくは複製するコンテンツ管理装置と、
を有することを特徴とするディスク再生装置。
【請求項３】
光ディスクに記録されている情報を読み出すディスクユニットと、
前記ディスクユニットにセットされた光ディスクに関連のある前記光ディスクのコンテンツの供給元から付加的なコンテンツを、ネットワークを経由してダウンロードするデータ制御装置と、
前記データ制御装置により、ダウンロードされた前記付加的なコンテンツを保持可能な不揮発性メモリと、
前記光ディスクが前記付加的なコンテンツのダウンロードに利用されたディスク再生装置とは異なるディスク再生装置で再生される場合に、前記不揮発性メモリに保持されている前記ダウンロードされた前記付加的なコンテンツを、前記ダウンロードに利用されたディスク再生装置のストレージに向けて転送し、または複製し、もしくは前記ダウンロードに利用されたディスク再生装置により読み出しを可能とする転送制御装置と、
を有することを特徴とするディスク再生装置。
【請求項４】
光ディスクに記録されている情報を読み出すディスクユニットと、
前記ディスクユニットにセットされた前記光ディスクに関連のある付加的なコンテンツが別の場所にあるストレージに保持されているか否かを検出するデータ制御装置と、
前記別の場所にあるストレージに保持されている前記付加的なコンテンツを保持可能な不揮発性メモリと、
前記データ制御装置により、前記光ディスクに関連のある付加的なコンテンツが前記別の場所にあるストレージに保持されていることが検知された場合に、前記付加的なコンテンツを前記不揮発性メモリに、転送し、または複製し、もしくは前記別の場所にあるストレージからの読み取りを可能とするコンテンツ管理装置と、
を有することを特徴とするディスク再生装置。
【請求項５】
外部サーバに接続可能で、再生対象の光ディスクのコンテンツに関連した付加的なコンテンツを前記外部サーバからダウンロード可能で、そのダウンロードした付加的なコンテンツを保持する記憶装置を含む、第１のディスク再生装置と、
前記第１のディスク再生装置とは異なる第２のディスク再生装置と、
前記第２のディスク再生装置において、前記光ディスクのコンテンツを再生する際に、前記第１のディスク再生装置による前記光ディスクのコンテンツの再生に関連して前記第１のディスク再生装置の前記記憶装置に保持された前記付加的なコンテンツを、前記第１のディスク再生装置の前記記憶装置から読み出す転送管理装置と、
前記転送管理装置により前記第１のディスク再生装置の前記記憶装置から読み出された前記付加的なコンテンツと、前記光ディスクに収容されているコンテンツとを、所定の順に再生する再生制御装置と、
を有することを特徴とするコンテンツ再生システム。
【請求項６】
前記転送管理装置は、閉じたネットワーク内で前記付加的なコンテンツの転送、複製、あるいは読み出しを許可することを特徴とする請求項５記載のコンテンス再生システム。
【請求項７】
前記転送管理装置は、個人向けあるいは家庭内ネットワーク内で前記付加的なコンテンツの転送、複製、あるいは読み出しを許可することを特徴とする請求項５記載のコンテンス再生システム。
【請求項８】
光ディスクを、付加的なコンテンツのダウンロードに用いたディスク再生装置とは異なるディスク再生装置により再生する場合に、ダウンロードされた付加的なコンテンツを、ダウンロードに用いたディスク再生装置から読み出し、または複製し、もしくはダウンロードに用いたディスク再生装置から読み出しながら、光ディスクに収容されているコンテンツと併せて再生するコンテンツ再生方法。
【請求項９】
光ディスクを、付加的なコンテンツのダウンロードに用いたディスク再生装置とは異なるディスク再生装置により再生する場合に、ダウンロードされた付加的なコンテンツのリストを、ダウンロードに用いたディスク再生装置から読み出し、または複製し、もしくはダウンロードに用いたディスク再生装置から読み出しながら、光ディスクに収容されているコンテンツのリストと併せて再生するコンテンツ再生方法。
【請求項１０】
付加的なコンテンツのダウンロードに利用されたディスク再生装置とは異なるディスク再生装置で付加的なコンテンツのダウンロードに利用した光ディスクを再生する場合に、不揮発性メモリに保持されている既にダウンロードされた付加的なコンテンツを、ダウンロードに利用されたディスク再生装置とは異なるディスク再生装置のストレージに向けて転送し、または複製し、もしくは前記ダウンロードに利用されたディスク再生装置とは異なるディスク再生装置により読み出しを可能とし、光ディスクに収容されているコンテンツと合わせて再生可能とすることを特徴とするコンテンツ再生方法。
【請求項１１】
光ディスクを再生する第１再生装置とは異なる第２再生装置に保持されている再生対象の光ディスクに関連のある付加的なコンテンツの有無をネットワークを経由して検知し、
再生対象の光ディスクに関連のある付加的なコンテンツが存在することが検知された場合に、そのコンテンツのリストを作成し、
作成されたリストに基づいて、第２再生装置に保持されている付加的なコンテンツの転送を要求し、転送された付加的なコンテンツと光ディスクに収容されているコンテンツとを、所定の順に再生する
ことを特徴とするコンテンツ再生方法。
【発明の詳細な説明】
【技術分野】
【０００１】
この発明は、コンテンツが収容されている媒体からコンテンツを再生する際に、ネットワークを介して取得した付加的なコンテンツを、ネットワークに接続された任意数の装置により再生するディスク再生装置およびディスク再生装置におけるコンテンス再生方法に関する。
【背景技術】
【０００２】
映像コンテンツあるいはオーディオコンテンツを高密度で保持可能な記録媒体として光ディスクが実用化されて久しい。
【０００３】
光ディスクは、テープ状の媒体に比較して、任意の再生位置からのコンテンツの再生が可能で、物理的な大きさに対する記録容量が大きいことから、急速に普及している。
【０００４】
近年、記録されているコンテンツ（情報）の再生に、青色または青紫色の、波長の短いレーザ光を用いることにより、ＨＤ規格の映像データと高品質のサラウンドオーディオデータとを一枚のディスクに保存できる超高密度光ディスク（High Definition Digital Versatile Disc，以下、ＨＤ  ＤＶＤと略称する）も既に実用化されている。
【０００５】
なお、ＨＤ  ＤＶＤ規格の光ディスク（一部のＤＶＤ規格の光ディスクを含む）では、光ディスクに収容されているコンテンツの１つに、ネットワークを介してそのコンテンツの供給元へのアクセスを推奨するアドレスあるいはリンク先情報が含まれている。
【０００６】
このため、ディスク再生装置において光ディスクを再生する場合に、コンテンツ供給元が提供する付加的なコンテンツをネットワークからのダウンロードすることにより、同時に／または並列に再生可能である。なお、コンテンツ供給元から取得可能な付加的なコンテンツには、有償、すなわちダウンロード毎に料金が要求されるものがある。
【０００７】
このことから、同一の光ディスクを、異なる場所にある複数のディスク再生装置により再生する場合、コンテンツ供給元が供給する付加的なコンテンツについては、再生の都度ダウンロードが必要となる。また、付加的コンテンツが有償である場合には、その都度、料金が要求されることになる。
【０００８】
なお、特許文献１には、ホームサーバと呼ばれる主装置においてダウンロードしたコンテンツについて、サーバでダウンロードしたコンテンツの再生が許可されている子機との間で、転送を可能とする例が報告されている。
【特許文献１】特開２００４−３７９８１
【発明の開示】
【発明が解決しようとする課題】
【０００９】
上述したように、ＨＤ  ＤＶＤ規格の光ディスクにおいては、光ディスクに収容されているコンテンツの１つに、ネットワークを介してそのコンテンツの供給元へのアクセスを推奨するアドレスあるいはリンク先情報が含まれ、コンテンツ供給元が提供する付加的なコンテンツをダウンロードすることで、光ディスクに収容されているコンテンツ以外の、例えばディスクのコンテンツとしては採用されなかった特別なコンテンツや、製造時には存在していない情報を含むコンテンツ等も、併せて再生可能である。
【００１０】
しかしながら、ダウンロードする毎に発生することのある料金については、特許文献１にも記載がなく、例えば家庭内に複数のディスク再生装置が設けられ、あるいはディスク再生装置を複数所有する個人が任意のディスク再生装置を用いて、付加的なコンテンツを再生しようとする場合、ダウンロードに用いたディスク再生装置以外の装置では、付加的なコンテンツを再生できない問題がある。
【００１１】
もちろん、コンテンツを再生する毎に料金を負担することにより付加的なコンテンツをダウンロードすることは可能であるが、同一家庭内等においてコンテンツを再生する場合に、過去にダウンロードしたことのあるコンテンツをダウンロードするために新たな料金が要求されることは好ましくない。
【００１２】
また、付加的なコンテンツをダウンロードしながら光ディスクに収容されている映像を再生することを推奨する場合、家庭内等の閉じたネットワークにおいてもディスクのコンテンツを再生する度に料金が要求されるならば、コンテンツを収容した光ディスク、すなわち映像ソフトの販売実績が落ちる可能性を否定できない問題がある。
【００１３】
この発明の目的は、上記問題点を解決するために、閉じたネットワーク内にある複数の装置において、任意の装置で取得した特定のコンテンツを他の装置においても再生可能とするディスク再生装置およびコンテンツ再生方法を、提供することである。
【課題を解決するための手段】
【００１４】
この発明は、光ディスクに記録されている情報を読み出すディスクユニットと、前記ディスクユニットにセットされた前記光ディスクに関連のある付加的なコンテンツが別の場所にあるストレージに保持されている場合に、そのコンテンツを、所定のタイミングで、読み出すデータ制御装置と、前記別の場所にあるストレージに保持されている前記付加的なコンテンツを保持可能な不揮発性メモリと、前記ディスクユニットにセットされた前記光ディスクの情報を再生する場合に、前記光別の場所にあるストレージに保持されている前記付加的なコンテンツを、前記ストレージから前記不揮発性メモリに、読み出しまたは転送させ、もしくは複製するコンテンツ管理装置と、を有することを特徴とするディスク再生装置を提供するものである。
【発明の効果】
【００１５】
本発明によれば、コンテンツ供給元が提供する付加的なコンテンツが、例えば有償でネットワークからダウンロード可能な場合等において、家庭内においては、ダウンロードが１度で済み、しかもダウンロード毎に料金が必要となる問題も解決される。
【００１６】
従って、同一家庭内等において、あるＨＤ  ＤＶＤディスクのコンテンツに関連のある有償の付加的なコンテンツを一旦ダウンロードした後で、付加的なコンテンツをダウンロードする際に用いたディスク再生装置とは異なるディスク再生装置でそのＨＤ  ＤＶＤディスクを再生する際に、付加的なコンテンツの新たなダウンロードのために新たな料金が要求されることがなくなる。これにより、ディスク再生時に有償の付加的なコンテンツのダウンロードが推奨されているようなＨＤ  ＤＶＤディスクにおいても、ユーザがダウンロードのための料金を気にする必要がなくなり、ＨＤ  ＤＶＤディスクの販売がさらなる向上が期待される。
【発明を実施するための最良の形態】
【００１７】
図１は、この発明の実施の形態が適用可能なディスク再生装置の一例を概略的に示す。
【００１８】
図１に示すディスク再生装置１は、記録媒体、例えばＨＤ規格のＤＶＤディスク（以下ＨＤ  ＤＶＤディスクと呼称する）Ｄがセットされることで、光ディスクＤに収容されている情報が再生可能なディスクドライブユニット３、パーシステントストレージ（Persistent Storage，以下Ｐ−ストレージと呼称する）として用いられるハードディスクＨＤを含むハードディスクドライブ（ＨＤＤ）ユニット５および、不揮発性メモリである半導体メモリ、例えばフラッシュメモリ７等を有する。なお、Ｐ−ストレージとしては、１２８メガバイト（Ｍ Bytes ）以上の容量があればよく、ＨＤＤ５またはフラッシュメモリ７の少なくとも一方が用意されていればよい。
【００１９】
ディスクドライブユニット３、ハードディスクドライブユニット５、フラッシュメモリ７は、ＣＰＵを含む主制御ブロック１１に、データバス１３、Ｉ／Ｏコントローラ２１を介して接続されている。なお、ＨＤ  ＤＶＤディスクＤ、ＨＤＤ５、およびフラッシュメモリ７等に保持されているデータは、周知のパケタイズド゛ストリーム（Packetized stream，以降“ＰＳ”と称する）と呼ばれるデータ形式である。また、詳述しないが、ＨＤ  ＤＶＤレコーダの場合には、ＨＤＤ５の容量が大きく、図示しないテレビチューナ部により受信された地上および衛星からのデジタル放送波等の録画（記録）も可能である。なお、デジタル放送は、ＴＳ（Transport stream，以降“ＴＳ”と称する）形式である。
【００２０】
ＰＳには、映像（ビデオ）と音声（オーディオ）およびその他の制御データが、時分割多重されている。さらに、映像（ビデオ）と音声（オーディオ）は、それぞれ送信すべきデータ量を低減する目的で圧縮された形態で送られてきている。また、データの多くは、ビデオデータであり、例えばＨ．２６４、ＶＣ１またはＭＰＥＧ２と呼ばれる規格により圧縮されている。
【００２１】
Ｉ／Ｏコントローラ２１を介して取り込まれたデータは、データバス１３を介し、図示しないメモリ（Ｄ−ＲＡＭ）を経由して、ストリームパーサ２３に入力され、映像すなわちビデオ信号と、音楽（音声を含む）すなわちオーディオ信号とに分離され、それぞれに対応するビデオ系デコーダ２５およびオーディオ系デコータ２７により復号される。復号されたビデオ信号すなわち映像は、出力部２９を通じて、例えば液晶ディスプレイやＣＲＴに代表される表示装置３１に表示可能に出力される。また、復号されたオーディオ信号すなわち音楽あるいは音声は、出力部２９からスピーカ３３に出力される。
【００２２】
主制御ブロック１１にはまた、データバス１３を介してネットワークコントローラ１５が接続されている。
【００２３】
ネットワークコントローラ１５は、公衆通信回線あるいはローカルエリアネットワーク（ＬＡＮ）を経由して、外部サーバやＬＡＮ上に接続された任意数のディスク再生装置との間で、データの受け渡しおよび転送が可能である。外部サーバとしては、例えばＨＤ  ＤＶＤディスクＤの供給元のｗｅｂサイトや、コンテンツを有償で配信する配信サイト等が含まれる。また、ＬＡＮ上には、ディスク再生装置１と実質的に同一の機能を含む携帯可能型のディスク再生装置や、例えば家庭内に別の場所に設けられている同形式あるいはＨＤ  ＤＶＤディスクＤを再生可能な別の形式のディスク再生装置が接続可能である。
【００２４】
図１に示したディスク再生装置１においては、市販されているＨＤ  ＤＶＤディスク、すなわちビデオソフトをディスクドライブユニット３にセットして再生する場合、ネットワークコントローラ１５を経由して、光ディスクに収容されているコンテンツの供給元へのアクセスを推奨するアドレスあるいはリンク先情報、として用意されたディスクの供給元のｗｅｂサイトへのアクセスが可能である。
【００２５】
ＨＤ  ＤＶＤディスクに用意されているディスク供給元のｗｅｂサイトへアクセスすることにより、ビデオソフトが製造された後に追加された映像、例えばビデオソフトの購入者への特典として用意されたオリジナルプログラムやビデオソフトには収容されていない別の言語の音声等の付加的なコンテンツを、任意にダウンロードできる。なお、付加的なコンテンツとしては、例えば同じ供給元が供給する他のビデオソフトの案内等である新着案内と呼ばれるコンテンツも存在する。
【００２６】
ダウンロードにより取得した付加的なコンテンツは、例えばＨＤＤユニット５のハードディスクＨＤまたはフラッシュメモリ７に記憶される。
【００２７】
このため、ディスク再生装置において光ディスクを再生する場合に、コンテンツ供給元が提供する付加的なコンテンツをネットワークからダウンロードすることにより、ＨＤ  ＤＶＤディスクに収容されているコンテンツと、同時にまたは。並列に再生可能である。なお、コンテンツ供給元から取得可能な付加的なコンテンツには、有償、すなわちダウンロード毎に料金が要求されるものがある。
【００２８】
ところで、閉じたネットワーク、例えば家庭内ＬＡＮには、ディスク再生装置１と実質的に同一の機能を含む携帯可能型のディスク再生装置や、例えば家庭内に別の場所に設けられている同形式あるいはＨＤ  ＤＶＤディスクＤを再生可能な別の形式のディスク再生装置が接続可能である。
【００２９】
このため、既にディスク再生装置１のＰ−ストレージ（ＨＤＤユニット５またはフラッシュメモリ７）にダウンロードした付加的なコンテンツを含む総てのコンテンツを、ＬＡＮ上にある他のディスク再生装置においてＨＤ  ＤＶＤを再生する際に、併せて再生するためには、ＬＡＮ上にある他のディスク再生装置において、ディスク再生装置１のＰ−ストレージに保存されている付加的なコンテンツをＨＤ  ＤＶＤディスクの再生に併せて、転送または移動もしくはダウンロードできることが求められている。または、ディスクを装着した状態でディスクのコンテンツ再生前に同様に転送もしくは、移動できることが求められている。
【００３０】
例えば、付加的コンテンツの転送の概念としては、図２により以下に説明するように、ビデオソフトであるＨＤ  ＤＶＤディスクＤをディスク再生装置１に装填した後［１］、ネットワークを経由して、ディスク供給元のｗｅｂサイトから付加的コンテンツをディスク再生装置１のＰ−ストレージにダウンロードする［２］。
【００３１】
次に、ＨＤ  ＤＶＤディスクＤを、ＬＡＮ上にある別のディスク再生装置（ここでは、４台めである）Ｚにセットして、コンテンツを再生する場合［３］、所定の条件の基で、ディスク再生装置１のＰ−ストレージに保持されている付加的コンテンツを、ディスク再生装置Ｚにおいても再生させることを可能とする［４］。これにより、ディスク再生装置Ｚにおいても、ＨＤ  ＤＶＤをセットすることで、既に、ディスク供給元のｗｅｂサイトからダウンロードした付加的コンテンツを含む総てのコンテンツを再生可能となる。
【００３２】
図３は、図２を用いて説明した任意のディスク再生装置のＰ−ストレージに保持されている付加的コンテンツを、ＬＡＮ上の他のディスク再生装置で読み出して、セットされたＨＤ  ＤＶＤディスクＤに収容されているコンテンツを併せて再生するための手順の一例を示す。なお、図３においては、ＨＤ  ＤＶＤディスク供給元のｗｅｂサイトから付加的コンテンツが、所定のディスク再生装置のＰ−ストレージに既にダウンロードされている状態で、他のディスク再生装置に、ＨＤ  ＤＶＤディスクが移動されてセットされた状態での、総てのコンテンツの再生を示す。
【００３３】
図３に示す通り、他のディスク再生装置（例えば、図２におけるディスク再生装置１）において、付加的なコンテンツをダウンロードする際に用いられたＨＤ  ＤＶＤがセットされる（Ｓ１）。
【００３４】
ＨＤ  ＤＶＤディスクがセットされた、（これからビデオソフトの）再生に利用されるディスク再生装置、例えば図２におけるディスク再生装置Ｚにより、ＬＡＮ上にある他のディスク再生装置が起動（Wake Up）される（Ｓ２）。
【００３５】
続いて、ＬＡＮ上にあるディスク再生装置（ここでは、図２におけるディスク再生装置１、ディスク再生装置Ｘまたはディスク再生装置Ｙ）から、現在セットされているＨＤ  ＤＶＤディスク（ビデオソフト）に関連したプレイリスト情報が取得される（Ｓ３）。
【００３６】
次に、ステップＳ３で取得した各ディスク再生装置に保持されているプレイリストから最新のプレイリストを検出する（Ｓ４）。
【００３７】
以下、ＨＤ  ＤＶＤディスクがセットされているディスク再生装置（ここではディスク再生装置Ｚ）において、コンテンツの再生開始が指示されると、ディスク再生装置１のＰ−ストレージに格納されている付加的なコンテンツが、ディスク再生装置ＺのＰ−ストレージに「ｍｏｖｅ」すなわち移動される（Ｓ５）。なお、「ｍｏｖｅ」とは、ＨＤ  ＤＶＤディスクを再生可能なディスク再生装置において、複数の再生装置によるコンテンツの共有を認めないための規則であり、コンテンツのコピー（複製）が許可されない場合に、コンテンツそのものを、現在再生しようとしているディスク再生装置のＰ−ストレージに移動することである。
【００３８】
続いて、移動（「ｍｏｖｅ」）したコンテンツを、現在ＨＤ  ＤＶＤディスクがセットされているディスク再生装置（ここではディスク再生装置「Ｚ」）のＰ−ストレージすなわちＨＤＤユニット５またはフラッシュメモリ７に格納する（Ｓ６）。
【００３９】
以下、ステップＳ４で取得した最新のプレイリストに従って、ＨＤ  ＤＶＤディスクＤに収容されているコンテンツと（「ｍｏｖｅ」により）Ｐ−ストレージに格納されたコンテンツとを併せた最新のコンテンツが、ディスク再生装置Ｚにより再生され、接続された表示装置３１およびスピーカ３３から出力される（Ｓ７）。なお、「ｍｏｖｅ」により、付加的なコンテンツは、ディスク再生装置１には存在せず、ディスク再生装置Ｚに移動されているため、付加的なコンテンツが格納されていた再生装置１内のプレイリストを消去し、格納したＰ−ストレージに、付加的なコンテンツを含む、最新プレイリストを格納する。
【００４０】
図４は、図３に示した「ｍｏｖｅ」とは異なり、閉じたネットワークに接続されたＨＤ  ＤＶＤディスクを再生可能なディスク再生装置においてのみ、複数の再生装置によるコンテンツの共有が認められている場合に対応し、他のディスク再生装置（図２におけるディスク再生装置１）において、付加的なコンテンツをダウンロードする際に用いられたＨＤ  ＤＶＤディスクＤが、これからビデオソフトの再生に利用されるディスク再生装置（ここでは、再生装置Ｚ）にセットされると（Ｓ１１）、ＨＤ  ＤＶＤディスクがセットされた（これからビデオソフトの）再生に利用されるディスク再生装置（再生装置Ｚ）により、ＬＡＮ上にある他のディスク再生装置が起動（Wake Up）される（Ｓ１２）。
【００４１】
続いて、ＬＡＮ上にあるディスク再生装置（ここでは、図２におけるディスク再生装置１、ディスク再生装置Ｘまたはディスク再生装置Ｙ）から、現在セットされているＨＤ  ＤＶＤディスク（ビデオソフト）に関連したプレイリスト情報が取得される（Ｓ１３）。
【００４２】
次に、ステップＳ１３で取得した各ディスク再生装置に保持されているプレイリストから最新のプレイリストを検出する（Ｓ１４）。
【００４３】
以下、ＨＤ  ＤＶＤディスクがセットされているディスク再生装置（ここではディスク再生装置Ｚ）において、コンテンツの再生開始が指示されると、ディスク再生装置１のＰ−ストレージに格納されている付加的なコンテンツが、ディスク再生装置ＺのＰ−ストレージに「ｃｏｐｙ」すなわち複製される（Ｓ１５）。なお、「ｃｏｐｙ」とは、閉じたネットワーク内にある複数のＨＤ  ＤＶＤディスクを再生可能なディスク再生装置に限り、複数の再生装置によるコンテンツの共有すなわち複製が許可されている場合に対応する。
【００４４】
続いて、複製（「ｃｏｐｙ」）したコンテンツを、現在ＨＤ  ＤＶＤディスクがセットされているディスク再生装置（ここではディスク再生装置「Ｚ」）のＰ−ストレージすなわちＨＤＤユニット５またはフラッシュメモリ７に格納する（Ｓ１６）。
【００４５】
以下、ステップＳ１４で取得した最新のプレイリストに従って、ＨＤ  ＤＶＤディスクＤに収容されているコンテンツと（「ｃｏｐｙ」により）Ｐ−ストレージに格納されたコンテンツとを併せた最新のコンテンツが、ディスク再生装置Ｚにより再生され、接続された表示装置３１およびスピーカ３３から出力される（Ｓ１７）。
【００４６】
図５は、図３に示した「ｍｏｖｅ」あるいは図４に示した「ｃｏｐｙ」のいずれとも異なり、ＨＤ  ＤＶＤディスクがセットされ、付加的なコンテンツのダウンロードに用いられたディスク再生装置のＰ−ストレージからダウンロードした付加的なコンテンツの移動や複製が許可されない場合に対応し、他のディスク再生装置（図２におけるディスク再生装置１）において、付加的なコンテンツをダウンロードする際に用いられたＨＤ  ＤＶＤディスクＤが、これからビデオソフトの再生に利用されるディスク再生装置（ここでは、再生装置Ｚ）にセットされると（Ｓ２１）、ＨＤ  ＤＶＤディスクがセットされた（これからビデオソフトの）再生に利用されるディスク再生装置（再生装置Ｚ）により、ＬＡＮ上にある他のディスク再生装置が起動（Wake Up）される（Ｓ２２）。
【００４７】
続いて、ＬＡＮ上にあるディスク再生装置（ここでは、図２におけるディスク再生装置１、ディスク再生装置Ｘまたはディスク再生装置Ｙ）から、現在セットされているＨＤ  ＤＶＤディスク（ビデオソフト）に関連したプレイリスト情報が取得される（Ｓ２３）。
【００４８】
次に、ステップＳ２３で取得した各ディスク再生装置に保持されているプレイリストから最新のプレイリストを検出する（Ｓ２４）。
【００４９】
以下、ＨＤ  ＤＶＤディスクがセットされているディスク再生装置（ここではディスク再生装置Ｚ）において、コンテンツの再生開始が指示されると（Ｓ２５）、ステップＳ２４で検出された最新のプレイリストに従って、ＨＤ  ＤＶＤディスクＤに収容されているコンテンツまたは、他のディスク再生装置（ここではディスク再生装置１）のＰ−ストレージに保持されている付加的なコンテンツが、所定の順に再生される（Ｓ２６）。なお、他のディスク再生装置のＰ−ストレージに保持されている付加的なコンテンツは、現在、ＨＤ  ＤＶＤディスクＤがセットされているディスク再生装置からの要求に従い、最新のプレイリストに併せて、その都度、他の装置のＰ−ストレージ（ここでは、ディスク再生装置１）からダウンロードされることになる。
【００５０】
この場合、コンテンツの転送レートによっては、ＨＤ  ＤＶＤディスクＤに収容されているコンテンツにダウンロードされた付加的なコンテンツを時系列に従って組み合わせるためには、ＨＤ  ＤＶＤディスクＤに収容されているコンテンツの時間的な進行状況に、ダウンロードが追いつかなくなる可能性がある。なお、このような場合を想定し、ステップＳ２６に示すダウンロードに限り、Ｐ−ストレージへの格納を禁止し、再生終了とともに、コンテンツが消去される図示しないＤ−ＲＡＭ（高速アクセス可能な揮発性メモリ）への一時的な記憶（転送）については、許可されるものとする。
【００５１】
このようにして、ステップＳ２５におけるＨＤ  ＤＶＤディスクＤに収容されているコンテンツを再生する際に、ステップＳ２４で検出された最新のプレイリストに従って、既に他のディスク再生装置のＰ−ストレージに格納されたコンテンツとを併せた最新のコンテンツが、ディスク再生装置Ｚにより再生され、接続された表示装置３１およびスピーカ３３から出力される。
【００５２】
以上説明したように、閉じたネットワーク、例えば家庭内ＬＡＮに接続されたディスク再生装置において、ネットワーク内に接続されている他のディスク再生装置において既に取得されている付加的なコンテンツを、ネットワーク内にある他のディスク再生装置において、所定の条件下で、付加的なコンテンツのダウンロードに用いたＨＤ  ＤＶＤディスクに収容されているコンテンツと併せて、転送（「ｍｏｖｅ」）、複製（「ｃｏｐｙ」）もしくはダウンロードにより、１つのコンテンツとして再生可能となる。
【００５３】
これにより、コンテンツ供給元が提供する付加的なコンテンツが、コンテンツ供給元が提供する付加的なコンテンツが、例えば有償でネットワークからダウンロード可能な場合等において、家庭内においては、ダウンロードが１度で済み、しかもダウンロード毎に料金が必要となる問題も解決される。
【００５４】
従って、同一家庭内等において、あるＨＤ  ＤＶＤディスクのコンテンツに関連のある有償の付加的なコンテンツを一旦ダウンロードした後で、付加的なコンテンツをダウンロードする際に用いたディスク再生装置とは異なるディスク再生装置でそのＨＤ  ＤＶＤディスクを再生する際に、付加的なコンテンツの新たなダウンロードのために新たな料金が要求されることがなくなる。これにより、ディスク再生時に有償の付加的なコンテンツのダウンロードが推奨されているようなＨＤ  ＤＶＤディスクにおいても、ユーザがダウンロードのための料金を気にする必要がなくなり、ＨＤ  ＤＶＤディスクの販売がさらなる向上が期待される。
【００５５】
なお、上述したディスク再生装置１は、閉じたネットワーク、すなわち家庭内ＬＡＮに共通のサーバタイプのストレージ（記憶装置）でもよい。また、ネットワークとしては、周知の無線ＬＡＮも利用可能である。この場合、図２に示したディスク再生装置の少なくとも１台（例えば、ディスク再生装置Ｘ）を、個人が所有する自家用車等に積載した移動（携帯）可能なディスク再生装置とすることも可能である。
【００５６】
また、図２に示した任意のディスク再生装置のＰ−ストレージに保持されている付加的コンテンツをＬＡＮ上の他のディスク再生装置で読み出して、セットされたＨＤ  ＤＶＤディスクＤに収容されているコンテンツを併せて再生することは、図６に概略を示すが、実質的に図１に示したディスク再生装置１と同等の機能が与えられた２台のディスク再生装置１０１と２０１を、家庭内ＬＡＮすなわち閉じたネットワーク３０１により接続し、コンテンツを相互に転送可能とすることで、容易に達成されることはいうまでもない。
【００５７】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５８】
【図１】この発明の実施の形態が適用可能なディスク再生装置の一例を示す概略図。
【図２】任意のディスク再生装置のＰ−ストレージに保持されている付加的コンテンツをＬＡＮ上の他のディスク再生装置で読み出して、セットされたＨＤ  ＤＶＤディスクＤに収容されているコンテンツを併せて再生する概念を説明する概略図。
【図３】図２を用いて説明した任意のディスク再生装置のＰ−ストレージに保持されている付加的コンテンツを、ＬＡＮ上の他のディスク再生装置で読み出して、セットされたＨＤ  ＤＶＤディスクＤに収容されているコンテンツを併せて再生するための手順の一例を説明するフローチャート。
【図４】図２を用いて説明した任意のディスク再生装置のＰ−ストレージに保持されている付加的コンテンツを、ＬＡＮ上の他のディスク再生装置で読み出して、セットされたＨＤ  ＤＶＤディスクＤに収容されているコンテンツを併せて再生するための手順の一例を説明するフローチャート。
【図５】図２を用いて説明した任意のディスク再生装置のＰ−ストレージに保持されている付加的コンテンツを、ＬＡＮ上の他のディスク再生装置で読み出して、セットされたＨＤ  ＤＶＤディスクＤに収容されているコンテンツを併せて再生するための手順の一例を説明するフローチャート。
【図６】図２に示した任意のディスク再生装置のＰ−ストレージに保持されている付加的コンテンツをＬＡＮ上の他のディスク再生装置で読み出して、セットされたＨＤ  ＤＶＤディスクＤに収容されているコンテンツを併せて再生することを実現可能な装置の具体例を示す概略図。
【符号の説明】
【００５９】
１…ディスク再生装置、３…ディスクドライブユニット、５…ＨＤＤユニット、７…カードスロット、１１…主制御ブロック、１３…データバス、１５…ネットワークコントローラ、２１…Ｉ／Ｏコントローラ、２３…ストリームパーサ、２５…ビデオ系デコーダ、２７…オーディオ系デコータ、２９…出力部。
【図１】
2007180957.tif 000003
【図２】
2007180957.tif 000004
【図３】
2007180957.tif 000005
【図４】
2007180957.tif 000006
【図５】
2007180957.tif 000007
【図６】
2007180957.tif 000008
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
光ディスクに記録されているコンテンツを読み出すディスクユニットと、
前記光ディスクに記録されているコンテンツに関連のある付加的なコンテンツが格納されるデータストレージと、
前記データストレージに格納すべき前記付加的なコンテンツを外部から取得するネットワークコントローラと、
前記ディスクユニットに前記ディスクがセットされ、前記ディスクに記録されている前記コンテンツの再生が指示された場合、前記ネットワークコントローラを経由して、前記付加的なコンテンツを外部から取得して前記データストレージに格納させ、前記ディスクに記録されている前記コンテンツの再生に合わせて、前記データストレージに格納された前記付加的なコンテンツを再生する主制御ブロックと、
を有することを特徴とするディスク再生装置。
【請求項２】
光ディスクに記録されているコンテンツを読み出すディスクユニットと、
前記光ディスクに記録されているコンテンツに関連のある付加的なコンテンツが格納されるデータストレージと、
前記データストレージに格納すべき前記付加的なコンテンツのプレイリストを外部から取得するネットワークコントローラと、
前記ディスクユニットに前記ディスクがセットされ、前記ディスクに記録されている前記コンテンツの再生が指示された場合、前記ネットワークコントローラを経由して、前記付加的なコンテンツのプレイリストを外部から取得し、取得したプレイリストと前記ディスクに記録されている前記コンテンツのプレイリストのそれぞれから最新のプレイリストを検出し、検出した前記最新のプレイリストに従い、前記ディスクに記録されている前記コンテンツ、および前記ネットワークコントローラを経由して順次取得される、前記取得したプレイリストに対応する前記付加的なコンテンツを外部から前記データストレージに一旦ダウンロードしたコンテンツを順次再生する主制御ブロックと、
を有することを特徴とするディスク再生装置。
【請求項３】
光ディスクに記録されているコンテンツを読み出すディスクユニットと、
前記光ディスクに記録されているコンテンツに関連のある付加的なコンテンツが格納されるデータストレージと、
前記データストレージに格納すべき前記付加的なコンテンツのプレイリストを外部から取得するネットワークコントローラと、
前記ディスクユニットに前記ディスクがセットされ、前記ディスクに記録されている前記コンテンツの再生が指示された場合、前記ネットワークコントローラを経由して、前記付加的なコンテンツのプレイリストを外部から取得し、取得したプレイリストと前記ディスクに記録されている前記コンテンツのプレイリストのそれぞれから最新のプレイリストを検出し、検出した前記最新のプレイリストに従い、前記ディスクに記録されている前記コンテンツ、および前記ネットワークコントローラを経由して順次取得される、前記取得したプレイリストに対応する前記付加的なコンテンツを、再生順に外部からダウンロードして得られるコンテンツを順次再生する主制御ブロックと、
を有することを特徴とするディスク再生装置。
【請求項４】
光ディスクに記録されているコンテンツを読み出すディスクユニットと、
前記光ディスクに記録されているコンテンツに関連のある付加的なコンテンツを収容するデータストレージと、
前記データストレージに格納すべき前記付加的なコンテンツのプレイリストを外部から取得するとともに、別の装置から前記プレイリストが要求された場合に、前記別の装置に供給可能なネットワークコントローラと、
前記ディスクが、前記ネットワークコントローラに接続されているネットワークを介して接続された別の装置にセットされ、前記別の装置において、前記ディスクに記録されている前記コンテンツの再生が指示された場合、前記ネットワークコントローラを経由して取得した前記付加的なコンテンツのプレイリストを、前記別の装置に提供する主制御ブロックと、
を有することを特徴とするディスク再生装置。
【請求項５】
光ディスクに記録されているコンテンツを読み出すディスクユニットと、
前記光ディスクに記録されているコンテンツに関連のある付加的なコンテンツを収容するデータストレージと、
前記データストレージに格納すべき前記付加的なコンテンツを外部から取得するとともに、別の装置から前記コンテンツが要求された場合に、前記別の装置に供給可能なネットワークコントローラと、
前記ディスクが、前記ネットワークコントローラに接続されているネットワークを介して接続された別の装置にセットされ、前記別の装置において、前記ディスクに記録されている前記コンテンツの再生が指示された場合、前記ネットワークコントローラを経由して取得した前記付加的なコンテンツを、前記別の装置に提供する主制御ブロックと、
を有することを特徴とするディスク再生装置。
【請求項６】
自身が収容しているコンテンツに関連する情報が記録された光ディスクに記録されている前記コンテンツを読み出すディスクユニットと、
前記光ディスクに記録されている前記情報に基づいて前記コンテンツに関連のある付加的なコンテンツを格納するデータストレージと、
前記データストレージが格納すべき前記付加的なコンテンツを、外部に接続される装置との間で受け渡し可能なネットワークコントローラと、
前記ディスクユニットに前記ディスクがセットされ、前記ディスクに記録されている前記コンテンツの再生が指示された場合、前記ネットワークコントローラを経由して接続可能な前記外部に接続される任意の装置に対して、前記光ディスクに関わる最新のプレイリストを、自身の有するプレイリストも含めて検索し、取得する検索装置と、
前記ネットワークコントローラを経由して、前記最新のプレイリストに対応した前記付加的なコンテンツを前記外部に接続される任意の装置から取得し、取得したプレイリストと前記ディスクに記録されている前記コンテンツのプレイリストのそれぞれから最新のプレイリストを検出し、検出した前記最新のプレイリストに従い、前記ディスクに記録されている前記コンテンツ、および前記ネットワークコントローラを経由して順次取得される、前記取得したプレイリストに対応する前記付加的なコンテンツを外部から前記データストレージに一旦ダウンロードしたコンテンツを順次再生する主制御ブロックと、
を有することを特徴とするディスク再生装置。
【請求項７】
自身が収容しているコンテンツに関連する情報が記録された光ディスクに記録されている前記コンテンツを読み出すディスクユニットと、
前記光ディスクに記録されている前記情報に基づいて前記コンテンツに関連のある付加的なコンテンツを格納するデータストレージと、
前記データストレージが格納すべき前記付加的なコンテンツを、外部に接続される装置との間で受け渡し可能なネットワークコントローラと、
前記ディスクユニットに前記ディスクがセットされ、前記ディスクに記録されている前記コンテンツの再生が指示された場合、前記ネットワークコントローラを経由して接続可能な前記外部に接続される任意の装置に対して、前記光ディスクに関わる最新のプレイリストを、自身の有するプレイリストも含めて検索し、取得する検索装置と、
前記ネットワークコントローラを経由して、前記最新のプレイリストに対応した前記付加的なコンテンツを前記外部に接続される任意の装置から取得し、取得したプレイリストと前記ディスクに記録されている前記コンテンツのプレイリストのそれぞれから最新のプレイリストを検出し、検出した前記最新のプレイリストに従い、前記ディスクに記録されている前記コンテンツ、および前記ネットワークコントローラを経由して順次取得される、前記取得したプレイリストに対応する前記付加的なコンテンツを、再生順に外部からダウンロードして得られるコンテンツを順次再生する主制御ブロックと、
を有することを特徴とするディスク再生装置。
【請求項８】
前記ディスク再生装置は、個人向けあるいは家庭内等の閉じたネットワーク内において前記付加的なコンテンツを外部から取得して前記データストレージに格納させ、その格納された前記付加的なコンテンツを、前記ディスクに記録されている前記コンテンツの再生に合わせて再生可能であることを特徴とする請求項１ないし７のいずれかに記載のディスク再生装置。
【請求項９】
セットされた光ディスクに関連のあるコンテンツの供給元において提供される付加的なコンテンツを、付加的なコンテンツの取得に用いたディスク再生装置とは異なるディスク再生装置において再生する際に、
付加的なコンテンツの取得に用いたディスク再生装置に保持されている付加的なコンテンツを、前記取得に用いたディスク再生装置から取得して（自身の）データストレージに格納し、前記光ディスクに収容されているコンテンツに関連付けて再生することを特徴とするコンテンツ再生方法。
【請求項１０】
セットされた光ディスクに関連のあるコンテンツの供給元において提供される付加的なコンテンツを、付加的なコンテンツの取得に用いたディスク再生装置とは異なるディスク再生装置において再生する際に、
付加的なコンテンツの取得に用いたディスク再生装置に保持されている付加的なコンテンツのプレイリストを取得し、
前記光ディスクに収容されているコンテンツのプレイリストと取得した付加的なコンテンツのプレイリストのそれぞれから最新のプレイリストを検出し、
最新のプレイリストが前記取得したコンテンツのプレイリストである場合に、このプレイリストのコンテンツ再生で用いる付加コンテンツを前記付加的なコンテンツの取得に用いたディスク再生装置から取得し一旦データストレージに格納し、
検出された最新のプレイリストに従い、前記光ディスクに収容されているコンテンツ、および取得した付加的なコンテンツ（自身の）データストレージに一旦格納したコンテンツを、最新のプレイリストに規定される所定の順に再生することを特徴とするコンテンツ再生方法。
【請求項１１】
セットされた光ディスクに関連のあるコンテンツの供給元において提供される付加的なコンテンツを、付加的なコンテンツの取得に用いたディスク再生装置とは異なるディスク再生装置において再生する際に、
付加的なコンテンツの取得に用いたディスク再生装置に保持されている付加的なコンテンツのプレイリストを取得し、
前記光ディスクに収容されているコンテンツのプレイリストと取得した付加的なコンテンツのプレイリストのそれぞれから最新のプレイリストを検出し、
最新のプレイリストが前記取得したコンテンツのプレイリストである場合に、検出された最新のプレイリストに従い、前記光ディスクに収容されているコンテンツ、および取得した付加的なコンテンツのプレイリストに対応する前記付加的なコンテンツを、再生順に前記取得に用いたディスク装置からダウンロードしながら、再生することを特徴とするコンテンツ再生方法。
【請求項１２】
光ディスクに収容されているコンテンツに関連のあるコンテンツの供給元から付加的なコンテンツを外部から取得してデータストレージに保持した状態で、異なる再生装置に光ディスクがセットされ、異なる再生装置によるコンテンツの再生が指示された場合に、異なる再生装置からの要求に応じ、データストレージが保持しているプレイリストを、異なる再生装置に供給することを特徴とするコンテンツ再生方法。
【請求項１３】
光ディスクに収容されているコンテンツに関連のあるコンテンツの供給元から付加的なコンテンツを外部から取得してデータストレージに保持した状態で、異なる再生装置に光ディスクがセットされ、異なる再生装置によるコンテンツの再生が指示された場合に、異なる再生装置からの要求に応じ、データストレージが保持しているコンテンツを、異なる再生装置に供給することを特徴とするコンテンツ再生方法。
【請求項１４】
光ディスクに収容されているコンテンツに関連のあるコンテンツの供給元から付加的なコンテンツを外部から取得してデータストレージに保持した状態で、異なる再生装置に光ディスクがセットされ、異なる再生装置によるコンテンツの再生が指示された場合に、データストレージが保持している付加的なコンテンツのプレイリストを、異なる再生装置において読み取り可能とすることを特徴とするコンテンツ再生方法。
【請求項１５】
光ディスクに収容されているコンテンツに関連のあるコンテンツの供給元から付加的なコンテンツを外部から取得してデータストレージに保持した状態で、異なる再生装置に光ディスクがセットされ、異なる再生装置によるコンテンツの再生が指示された場合に、データストレージが保持している付加的なコンテンツのうちの異なる再生装置からの要求があったコンテンツを、異なる再生装置において読み取り可能とすることを特徴とするコンテンツ再生方法。
【手続補正２】
【補正対象書類名】明細書
【補正対象項目名】００１４
【補正方法】変更
【補正の内容】
【００１４】
この発明は、光ディスクに記録されているコンテンツを読み出すディスクユニットと、前記光ディスクに記録されているコンテンツに関連のある付加的なコンテンツが格納されるデータストレージと、前記データストレージに格納すべき前記付加的なコンテンツを外部から取得するネットワークコントローラと、前記ディスクユニットに前記ディスクがセットされ、前記ディスクに記録されている前記コンテンツの再生が指示された場合、前記ネットワークコントローラを経由して、前記付加的なコンテンツを外部から取得して前記データストレージに格納させ、前記ディスクに記録されている前記コンテンツの再生に合わせて、前記データストレージに格納された前記付加的なコンテンツを再生する主制御ブロックと、を有することを特徴とするディスク再生装置を提供するものである。